(57)【要約】【課題】ボックス本体の前面を胴縁材の表面と略同一平面上に位置させるようにして柱に設置する場合にあってはその位置決めを容易化することができ、ボックス本体の前面を柱の前面と略同一平面上に位置させるようにして柱に設置する場合にあってはその設置上の制約を少なくすることができる配線用ボックスを提供する。【解決手段】固定座１２の側面には、柱２１の側面に当接して固定される当接面を備え、固定座の側面と隣り合う上面及び下面には、柱の前面に設置される胴縁材の厚みと略同一の寸法だけ前面から退いた位置を表示する位置表示部２０ａを備え、固定座の前面には、ボックス本体１１の前面と同一面を表示する表示部１９を備えている。このため、当接面を柱の側面に当接させた状態でボックス本体の柱に対する位置を前後に調整し、位置表示部を柱の前面に位置合わせすれば、ボックス本体の前面を柱の前面から胴縁材の厚さ分突出させることができる。【選択図】図１
2006238696.tif 000002
【特許請求の範囲】
【請求項１】
配線器具を装入可能な開口を前面に有する有底箱状に形成され建物を構成する柱に固定されるボックス本体と、ボックス本体の側壁外面にあって前面より底面側に後退した位置に突出して形成された固定座と、前記柱の側面に当接して固定される当接面とを備えた配線用ボックスであって、
前記固定座の側面には、前記柱の側面に当接して固定される当接面を備え、前記固定座の側面と隣り合う上面及び下面には、前記柱の前面に設置される胴縁材の厚みと略同一の寸法だけ前面から退いた位置を表示する位置表示部を備え、前記固定座の前面には、前記ボックス本体の前面と同一面を表示する表示部を備え、前記当接面を柱の側面に当接させた状態でボックス本体の柱に対する位置を前後に調整可能であり、ボックス本体の前面を柱の前面と略同一平面上に位置させて設置可能であると共に、前記位置表示部を柱の前面に位置合わせして前記当接面を前記柱の側面に固定することによりボックス本体の前面を柱の前面から前記胴縁材の厚さ分突出させて設置可能であることを特徴とする配線用ボックス。
【請求項２】
前記位置表示部は、前記当接面に近接して位置することを特徴とする請求項１に記載の配線用ボックス。
【請求項３】
前記位置表示部は、外向きに凸の形状をなすことを特徴とする請求項１又は請求項２に記載の配線用ボックス。
【発明の詳細な説明】
【技術分野】
【０００１】
本発明は、コンセントやスイッチ等の配線器具を収容し、建物を構成する柱に設置される配線用ボックスに関するものである。
【背景技術】
【０００２】
一般に壁においては、羽目板やボードを取り付けるために壁裏の柱の前面に胴縁材を設置することがある。胴縁材を柱の前面に設置するにあたっては、ボックス本体の前面を胴縁材の表面と略同一平面上に位置させるようにして配線用ボックスを当該柱に設置する必要がある。なぜなら、ボックス本体の前面が胴縁材の表面よりも前方に位置すると胴縁材の表面に沿って羽目板やボードを設置することが困難となり、逆にボックス本体の前面が胴縁材の表面よりも後方に位置すると配線用ボックスに配線器具を取り付ける際の作業性が低下するためである。
【０００３】
そこで、ボックス本体の前面と胴縁材の表面を容易に略同一平面上に位置させるようにすることができる配線用ボックスとして、例えば特許文献１に記載のものが提案されている。図６（ａ），（ｂ）は、同公報に記載の配線用ボックス３０を柱３１に取り付けた状態を示す斜視図である。同図に示すように、配線用ボックス３０のボックス本体３２の側面には、ボックス本体３２の前面に平行し、且つボックス本体３２の後面側を向いた段差面３３が形成されている。また、ボックス本体３２の前面と段差面３３との間の距離Ｄは、柱３１の前面（壁表側の面）に設置される胴縁材（図示せず）の厚みと略同一の寸法に設定されている。このため、ボックス本体３２の前面を前記胴縁材の表面と略同一平面上に位置させるようにして配線用ボックス３０を柱３１に設置する場合には、図６（ａ）に示すように、段差面３３を柱３１の前面に当接させさえすればよいようになっている。
【特許文献１】特開平９−２９８８２１号公報
【発明の開示】
【発明が解決しようとする課題】
【０００４】
一方で、胴縁材を使用しないで柱の前面に沿って壁材を設ける場合には、ボックス本体の前面を柱の前面と略同一平面上に位置させるようにして配線用ボックスを当該柱に設置する必要がある。なぜなら、ボックス本体の前面が柱の前面よりも前方に位置すると柱の前面に沿って壁材を設けることが困難となり、逆にボックス本体の前面が柱の前面よりも後方に位置すると配線用ボックスに配線器具を取り付ける際の作業性が低下するためである。
【０００５】
上記従来の配線用ボックス３０を柱３１に設置するにあたってボックス本体３２の前面を柱３１の前面と略同一平面上に位置させるようにする場合には、ボックス本体３２の側面のうち段差面３３が形成された面を柱３１の側面に当接させて取り付けることは困難であり、無理に取り付けても安定が悪い。このため、図６（ｂ）に示すように、段差面３３が形成されていない面を柱３１の側面に当接させて設置する必要があり、設置上の制約があった。このような制約があると、配線用ボックス３０を柱３１に設置する際の作業性の低下を招くという問題があった。
【０００６】
本発明は、上記のような従来技術に存在する問題点に着目してなされたものである。その目的とするところは、ボックス本体の前面を胴縁材の表面と略同一平面上に位置させるようにして柱に設置する場合にあってはその位置決めを容易化することができ、ボックス本体の前面を柱の前面と略同一平面上に位置させるようにして柱に設置する場合にあってはその設置上の制約を少なくすることができる配線用ボックスを提供することにある。
【課題を解決するための手段】
【０００７】
上記の目的を達成するために、請求項１に記載の発明は、配線器具を装入可能な開口を前面に有する有底箱状に形成され建物を構成する柱に固定されるボックス本体と、ボックス本体の側壁外面にあって前面より底面側に後退した位置に突出して形成された固定座と、前記柱の側面に当接して固定される当接面とを備えた配線用ボックスであって、前記固定座の側面には、前記柱の側面に当接して固定される当接面を備え、前記固定座の側面と隣り合う上面及び下面には、前記柱の前面に設置される胴縁材の厚みと略同一の寸法だけ前面から退いた位置を表示する位置表示部を備え、前記固定座の前面には、前記ボックス本体の前面と同一面を表示する表示部を備え、前記当接面を柱の側面に当接させた状態でボックス本体の柱に対する位置を前後に調整可能であり、ボックス本体の前面を柱の前面と略同一平面上に位置させて設置可能であると共に、前記位置表示部を柱の前面に位置合わせして前記当接面を前記柱の側面に固定することによりボックス本体の前面を柱の前面から前記胴縁材の厚さ分突出させて設置可能であることを要旨とする。
【０００８】
請求項２に記載の発明は、請求項１に記載の配線用ボックスにおいて、前記位置表示部は、前記当接面に近接して位置することを要旨とする。
請求項３に記載の発明は、請求項１又は請求項２に記載の配線用ボックスにおいて、前記位置表示部は、外向きに凸の形状をなすことを要旨とする。
【発明の効果】
【０００９】
本発明は、以上のように構成されているため、次のような効果を奏する。
請求項１〜３に記載の発明によれば、ボックス本体の前面を胴縁材の表面と略同一平面上に位置させるようにして柱に設置する場合にあってはその位置決めを容易化することができ、ボックス本体の前面を柱の前面と略同一平面上に位置させるようにして柱に設置する場合にあってはその設置上の制約を少なくすることができる。また、位置表示部の視認性を向上させることができる。加えて、保管時などに嵩高となるおそれが少ない。
【発明を実施するための最良の形態】
【００１０】
以下、本発明を具体化した一実施形態について図面に基づき説明する。
図１〜図３は本実施形態における配線用ボックス１０を示す図で、図１（ａ）は正面図、図１（ｂ）は側面図、図２及び図３は斜視図である。これらの図に示すように、配線用ボックス１０は、ボックス本体１１と、ボックス本体１１の側面に形成された固定座１２から主に構成されている。なお、本明細書における上下、前後、左右は、特に断らない限り図１にそれぞれ矢印で示す配線用ボックス１０の上下軸、前後軸、左右軸に沿う方向をいう。
【００１１】
ボックス本体１１は、矩形板状の底壁１３と該底壁１３の周縁から延出して形成された側壁１４とを有しており、前記底壁１３に対向する面（前面）には、コンセント、スイッチ等の配線器具を装入可能な開口が全面にわたり形成されている。すなわち、ボックス本体１１は有底無蓋の四角箱状をなしている。
【００１２】
ボックス本体１１には、成形時の離型を容易にするために抜き勾配が設けられている。すなわち、側壁１４の外面は配線用ボックス１０の前後軸に対し僅かに傾斜して形成されている。ただし、図３に示すように、右側の長側壁１４ａの外面の一部には配線用ボックス１０の上下軸及び前後軸に平行な面状をなす平坦部１５が形成され、この平坦部１５においては抜き勾配がゼロになっている。なお、平坦部１５は上下方向の幅が狭い幅狭の形状をなし、そのうえ限られた部位（本例では上下二箇所）のみに設けられているので、この平坦部１５により配線用ボックス１０の成形時の離型が妨げられるおそれはない。
【００１３】
ボックス本体１１の隣り合う側壁１４外面の稜にはそれぞれ、稜の延びる方向に沿って突条１６が形成されている。これら突条１６は外向きに凸の形状をなし、ボックス本体１１の前端から後方に向かって中途まで形成されている。図１（ｂ）に示すように、各突条１６の後端１６ａ（位置表示部）とボックス本体１１の前面との間の距離Ｄ１は、後述する胴縁材の厚み寸法と等しく設定されている。図１（ａ）に示すように、突条１６は、当該突条１６の設けられた稜を間に挟んで隣り合う側壁１４の外面同士の交線Ｌよりも内側に位置し、交線Ｌよりも外側に突出しないようになっている。
【００１４】
前記側壁１４のうち底壁１３の長辺に形成されて相互に対向する一対の長側壁１４ａには、前後方向に延びる細長の孔１７がそれぞれ形成されている。一方、底壁１３の内面にはボス部１８が突設されている。ボス部１８はねじ孔１８ａを有しており、コンセント、スイッチ等の配線器具（図示せず）をねじ止めして取り付けられるようになっている。
【００１５】
前記固定座１２は、一対の長側壁１４ａのうち左側の長側壁１４ａの外面に突出して形成されている。固定座１２は、図１（ｂ）に示すように、長側壁１４ａの外面にあってボックス本体１１の前面より底面側（底壁１３の側）に後退した位置に形成されている。そして、建物を構成する柱に配線用ボックス１０を設置する際には、通常この固定座１２の側面を柱の側面に当接させて固定するようになっている。すなわち、ボックス本体１１が柱に固定されるときに柱の側面に当接される当接面は、固定座１２の側面によって通常構成されている。
【００１６】
固定座１２には、同固定座１２を柱の側面に当接させた際にボックス本体１１の前面と同一面を柱に表示する突部１９が三つ設けられている。これら突部１９は上下方向に等間隔おきに設けられており、そのうち中央に位置する突部１９が設けられた箇所は、配線用ボックス１０の上下方向中央に一致している。
【００１７】
また前記固定座１２の上下二箇所の稜にも、その稜の延びる方向に沿って突条２０がそれぞれ形成されている。これらの突条２０も外向きに凸の形状をなし、固定座１２の後端から前方に向かって中途まで形成されている。図１（ｂ）に示すように、各突条２０の前端２０ａ（位置表示部）とボックス本体１１の前面との間の距離Ｄ２は、前述の距離Ｄ１と同一であり、後述する胴縁材の厚み寸法と等しく設定されている。
【００１８】
次に、上記のように構成された配線用ボックス１０の作用を説明する。
配線用ボックス１０を柱に設置するにあたっては、配線用ボックス１０の設置後にその柱の前面（壁表側の面）に沿って直接壁材を設ける場合とその柱の前面に胴縁材を設置してその胴縁材の表面に羽目板やボードを取り付ける場合で設置の仕方が異なってくる。
【００１９】
まず前者の場合には、図４（ａ）に示すように、ボックス本体１１の前面と柱２１の前面を同一平面上に位置させるようにして配線用ボックス１０を柱２１に設置する。この場合には、固定座１２の側面を柱２１に当接させて突部１９の前端を柱の前面に整合させることによって、ボックス本体１１の前面を柱２１の前面に位置合わせする。こうして配線用ボックス１０の前後方向の位置を決定した後、長側壁１４ａの孔１７から柱２１にビス２２をねじ込むことで、ボックス本体１１の前面が柱２１の前面と略同一平面上に位置した状態で配線用ボックス１０が柱２１に設置される。
【００２０】
次に後者の場合には、図４（ｂ）に示すように、ボックス本体１１の前面を柱２１の前面から胴縁材の厚さ分突出させた状態で配線用ボックス１０を柱２１に設置する。この場合には、固定座１２の側面を柱２１に当接させて突条１６の後端１６ａ及び突条２０の前端２０ａを柱２１の前面に位置合わせする。こうして配線用ボックス１０の前後方向の位置を決定した後、長側壁１４ａの孔１７から柱２１にビス２２をねじ込むことで、ボックス本体１１の前面が柱２１の前面から胴縁材の厚さ分突出した状態で配線用ボックス１０が柱２１に設置される。
【００２１】
なお、図５に示すように、固定座１２の設けられていない右側の長側壁１４ａの外面、すなわち、ボックス本体１１の右側面を柱２１に当接させた状態で配線用ボックス１０を柱２１に設置することも可能である。この場合は、ボックス本体１１の右側面が当接面を構成する。図５では、ボックス本体１１の前面を胴縁材の表面と同一平面上に位置させるべく、突条１６の後端１６ａを柱２１の前面に位置合わせして設置した場合を例示しているが、ボックス本体１１の前面を柱２１の前面に位置合わせして設置することも勿論可能である。このとき、柱２１に当接する右側の長側壁１４ａの外面には、配線用ボックス１０の上下軸及び前後軸に平行な平坦部１５が設けられているので、配線用ボックス１０の上下軸及び前後軸は柱２１の側面に対して確実に平行になるようになっている。
【００２２】
さらには、図示しないが、ボックス本体１１の上側面又は下側面を柱２１に当接させて配線用ボックス１０を柱２１に設置することも可能である。この場合は、ボックス本体１１の上側面又は下側面が当接面を構成する。このとき配線用ボックス１０は、ボックス本体１１の上側面又は下側面に穿設された孔２３から柱２１にビスをねじ込むことで柱２１に固定される。
【００２３】
本実施形態によって得られる効果について、以下に記載する。
・  突条１６の後端１６ａとボックス本体１１の前面との間の距離Ｄ１及び突条２０の前端２０ａとボックス本体１１の前面との間の距離Ｄ２は、配線用ボックス１０の設置後に柱２１の前面に設置される胴縁材の厚み寸法と等しく設定されている。従って、突条１６の後端１６ａ又は突条２０の前端２０ａを柱２１の前面に位置合わせすることによって、簡単にボックス本体１１の前面と胴縁材の表面を同一平面上に位置させることができる。
【００２４】
・  配線用ボックス１０は、ボックス本体１１の前面を柱２１の前面と同一平面上に位置させる場合であっても、ボックス本体１１の前面を胴縁材の前面と同一平面上に位置させる場合と同様に、固定座１２の側面を柱２１に当接させて設置される。すなわち、ボックス本体１１の前面を柱２１の前面と同一平面上に位置させるようにして配線用ボックス１０を柱２１に設置する場合であっても、その設置上、特段の制約が生じることはなく、設置の際の作業性が低下するおそれはない。
【００２５】
・突条１６は、ボックス本体１１の隣り合う側壁１４外面の稜に設けられている。このため、配線用ボックス１０を固定座１２の側面を柱２１に当接させて設置する場合であっても、またボックス本体１１の右側面、上側面又は下側面を柱２１に当接させて設置する場合であっても、常にいずれかの突条１６の後端１６ａが柱２１の側面に近接して位置するようになっている。従って、突条１６の後端１６ａを柱２１の前面に対して位置合わせすることが容易である。
【００２６】
・  固定座１２の上下の稜に突条２０を設けているので、固定座１２の側面を当接させて配線用ボックス１０を柱２１に設置する場合に、その突条２０の前端２０ａを柱２１の側面に特に近接して位置させることができる。よって、固定座１２の側面を当接させて配線用ボックス１０を柱２１に設置する場合に、突条２０の前端２０ａと柱２１の前面とを容易に位置合わせすることができる。
【００２７】
・  本実施形態では、突条１６をボックス本体１１の稜に設けている。例えば突条１６をボックス本体１１の側面に設けた場合には、その突条１６の設けられた側面を正面に見ない限り当該突条１６の後端１６ａを視認することは困難であるが、本実施形態のように稜に設けた場合には、その稜を間に挟んで隣り合う二つの側面のいずれかを正面に見たときに当該突条１６の後端１６ａを視認でき、視認しやすい。よって、突条１６の後端１６ａを柱２１の前面に位置合わせする際の作業性が向上する。
【００２８】
・  本実施形態の場合、位置表示部が、外向きに凸の形状をなす突条１６の後端１６ａ又は突条２０の前端２０ａによって構成されている。そのため、指触によってもその位置を確認することができる。
【００２９】
・  本実施形態では、突条１６が、当該突条１６の設けられた稜を間に挟んで隣り合う側壁１４の外面同士の交線Ｌよりも内側に位置し、交線Ｌよりも外側に突出しないようになっている。これが前記交線Ｌよりも外側に突出していると、ボックス１０の側面と別のボックス１０の側面とを合わせるようにしたときに、突条１６が干渉して側面同士を密着させることができないために嵩高になってしまう。それに対し本実施形態の場合は、ボックス１０の側面同士を密着させることができるので、上記のような理由で保管時などに嵩高になるおそれはない。
【００３０】
・  位置表示部である突条１６の後端１６ａを、上下方向で位置が相違する二箇所に有しているので、上下方向で位置が相違する二箇所においてボックス本体１１の前後方向の位置合わせをすることができる。よって、上部と下部で前後にずれた傾斜状態でボックス本体１１が柱２１に固定されるのを防ぐことができる。
【００３１】
・配線用ボックス１０は、上下方向で位置が相違する三箇所に突部１９を有している。このため、上下方向で位置が相違する複数の箇所において柱２１の前面に対しボックス本体１１の前面を位置合わせすることができる。よって、上部と下部で前後にずれた傾斜状態でボックス本体１１が柱２１に固定されるのを防ぐことができる。
【００３２】
なお、前記実施形態を次のように変更して構成することもできる。
・  突条１６，２０を省略し、それら突条１６の後端１６ａ又は突条２０の前端２０ａに相当する位置に点状の突起を設けるようにしてもよい。この場合は、突起を柱２１の前面に位置合わせすることで、ボックス本体１１の前面と胴縁材の表面を同一平面上に位置させることができる。なお、突起に代えて凹部でもよいし、稜と面一な印でもよい。
【００３３】
・  固定座１２にある突条２０を省略してもよい。このように突条２０を省略しても、ボックス本体１１の稜に設けた突条１６の後端１６ａを柱２１の前面に位置合わせすることによってボックス１０の前面を胴縁材の表面と同一平面上に位置させることができる。
【００３４】
次に、前記実施形態から把握できる技術的思想について以下に記載する。
（１）配線器具を装入可能な開口を前面に有する有底箱状に形成され建物を構成する柱に固定されるボックス本体と、前記柱の側面に当接して固定される当接面とを備えた配線用ボックスであって、
前記柱の前面に設置される胴縁材の厚みと略同一の寸法だけ前面から退いた位置を表示する位置表示部を備え、前記当接面を柱の側面に当接させた状態でボックス本体の柱に対する位置を前後に調整することによって、ボックス本体の前面を柱の前面から前記胴縁材の厚さ分突出させて設置すること、及びボックス本体の前面を柱の前面と略同一平面上に位置させて設置することがともに可能であることを特徴とする配線用ボックス。このように構成すれば、ボックス本体の前面を胴縁材の表面と略同一平面上に位置させるようにして柱に設置する場合にあってはその位置決めを容易化することができ、ボックス本体の前面を柱の前面と略同一平面上に位置させるようにして柱に設置する場合にあってはその設置上の制約を少なくすることができる。
【００３５】
（２）前記ボックス本体の前面と同一面を表示する表示部を備えたことを特徴とする請求項１から請求項３のいずれか一項に記載の配線用ボックス。なお、「表示部」とは前記実施形態では「突部１９」をいう。このように構成した場合、柱の側面に記された罫書き線や柱の前面などに表示部を整合させることによって、ボックス本体の前面を所望位置に容易に位置させることが可能である。
【００３６】
（３）前記ボックス本体の前面と同一面を表示する表示部を上下方向において位置が相違する少なくとも二箇所に備えたことを特徴とする上記（２）に記載の配線用ボックス。このように構成した場合、ボックス本体の前面を柱の前面に対し常に平行にして配線用ボックスを設置することが可能である。
【図面の簡単な説明】
【００３７】
【図１】（ａ）は実施形態の配線用ボックスを示す正面図、（ｂ）は同左側面図。
【図２】実施形態の配線用ボックスを示す左前方からの斜視図。
【図３】実施形態の配線用ボックスを示す右前方からの斜視図。
【図４】実施形態の配線用ボックスを柱に取り付けた状態を示す斜視図。
【図５】実施形態の配線用ボックスを柱に取り付けた状態を示す斜視図。
【図６】従来の配線用ボックスを柱に取り付けた状態を示す斜視図。
【符号の説明】
【００３８】
１０…配線用ボックス、１１…ボックス本体、１２…固定座、１４…側壁、１９…表示部としての突部、２０ａ…位置表示部としての突条の前端、２１…柱。
【図１】
2006238696.tif 000003
【図２】
2006238696.tif 000004
【図３】
2006238696.tif 000005
【図４】
2006238696.tif 000006
【図５】
2006238696.tif 000007
【図６】
2006238696.tif 000008